(57)【要約】【課題】  鏡の厚さをより薄くするとともに、ガラス製の鏡と同程度の鮮明な像が得られるようにしたデンタルミラーを提供する。【解決手段】  デンタルミラー１は、円形の鏡部１０と、この鏡部１０を支持する円形の支持部２１を有する柄２０とからなる。鏡部１０は、円板状であり、ステンレス製の円形状の板１１の一面に鏡面を形成するための金属メッキ層１２を設けてなり、全体の厚さｄが０．５〜０．７ｍｍである。このデンタルミラー１では、鏡部１０の厚さが０．５〜０．７ｍｍと非常に薄いため、限られた口腔内での作業範囲が広がる。また、ステンレス製の板１１の一面に鏡面用の金属メッキ層１２が設けられているため、ステンレス製の鏡でありながらガラス製の鏡と同程度の鮮明な像が得られる。【選択図】      図２
0003102266.tif 000002
【実用新案登録請求の範囲】
【請求項１】
ステンレス製の板の一面に鏡面を形成するための金属メッキ層を設けてなり、全体の厚さが０．５〜０．７ｍｍである鏡部と、この鏡部を支持する支持部を有する柄とからなることを特徴とするデンタルミラー。
【請求項２】
前記鏡部は、前記柄の支持部に着脱可能に取付けられたことを特徴とする請求項１記載のデンタルミラー。
【請求項３】
前記鏡部は、前記柄の支持部に嵌合により取付けられたことを特徴とする請求項２記載のデンタルミラー。
【請求項４】
前記鏡部は、その鏡面とは反対側の面に突片を有し、前記柄の支持部は、前記突片と相似形の穴を有し、前記鏡部の突片を前記支持部の穴に挿通し、鏡部を支持部に対して相対的に回転させることにより、鏡部が支持部に取付けられたことを特徴とする請求項２記載のデンタルミラー。
【請求項５】
前記柄の支持部は、柄に着脱可能に取付けられたことを特徴とする請求項１、請求項２、請求項３又は請求項４記載のデンタルミラー。
【考案の詳細な説明】
【技術分野】
【０００１】
この考案は、主に歯科医が歯の治療の際に用いるデンタルミラーに関する。
【背景技術】
【０００２】
デンタルミラーは、鏡面を有する鏡部（通常はガラス製の鏡）と、この鏡部を支持する支持部を有する柄とからなるのが普通である。このデンタルミラーは、治療に際して歯茎等から出血した血液がよく付着するので、エイズやＢ型肝炎等の血液媒介による感染の恐れのある病気に対する予防のために、個人毎に使用後にオートクレーブによる加熱、煮沸等によって消毒しなければならない。
【０００３】
ガラス製の鏡は、一般に厚さが約２ｍｍであるが、口腔内は個人差があるにせよスペースが限定されているため、作業範囲を広くする意味からもより薄くすることが求められている。また、ガラス製の鏡は、使用中に患者が誤って噛んで破損することがあり、安全性の点からもガラス製以外の鏡が求められている。
【０００４】
そのような状況の折り、ガラス製の鏡の反射被膜は高温煮沸に対する耐性が低く、数回殺菌すると鏡の機能が低下してしまうという問題を解決するために、ステンレス製の鏡と、この鏡を支持するホルダーと、一端がホルダーに着脱可能に取付けられ、他端がハンドル部に着脱可能に取付けられる棒状のジョイントとを備えたデンタルミラーが提案されている（例えば、特許文献１参照）。このデンタルミラーでは、鏡が高温に耐性のあるステンレスからなるので、繰り返し高温煮沸して多数回使用することができる。
【特許文献１】特開平８−２１５１４３号公報
【考案の開示】
【考案が解決しようとする課題】
【０００５】
上記特許文献１には、ステンレス製の鏡が記載されているが、その厚さについての明確な記載はなく、ガラス製の鏡と同様に、狭い口腔内で隅々まで視認できるように、より薄い鏡が要求されている。また、ステンレス製の鏡は、ガラス製の鏡に比べると鮮明な反射像の点で劣り、よりガラス製の鏡の鏡面に近づけることが求められている。
【０００６】
この考案は、そのような問題点に着目してなされたもので、鏡の厚さをより薄くするとともに、ガラス製の鏡と同程度の鮮明な像が得られるようにしたデンタルミラーを提供することを目的とする。
【課題を解決するための手段】
【０００７】
前記目的を達成するために、本考案のデンタルミラーは、ステンレス製の板の一面に鏡面を形成するための金属メッキ層を設けてなり、全体の厚さが０．５〜０．７ｍｍである鏡部と、この鏡部を支持する支持部を有する柄とからなることを特徴とする。
【０００８】
金属メッキ層の金属としては、ガラス製の鏡の反射率と大差ない８０〜９０％の反射率を得ることのできるニッケル、ロジウム、白金などを使用する。鏡部の厚さは上記範囲であればよいが、０．５ｍｍよりも薄い場合は、強度に難がある上に変形し易く、しかも鏡面に映る像に難があり、０．７ｍｍよりも厚い場合は、下記効果の薄さの利点が得られなくなる。
【０００９】
このデンタルミラーにおいて、鏡部は柄の支持部に着脱可能に取付けられるのが好ましい。例えば、鏡部は柄の支持部に嵌合により取付けられる。
【００１０】
或いは、鏡部は、その鏡面とは反対側の面に突片を有し、柄の支持部は、突片と相似形の穴を有し、鏡部の突片を支持部の穴に挿通し、鏡部を支持部に対して相対的に回転させることにより、鏡部が支持部に取付けられるのが好適である。
【００１１】
また、柄の支持部は柄に着脱可能に取付けられるのが好ましい。
【考案の効果】
【００１２】
本考案によれば、鏡部の厚さが０．５〜０．７ｍｍと非常に薄いため、限られた口腔内での作業範囲が広がる。また、ステンレス製の板の一面に鏡面用の金属メッキ層が設けられているため、ステンレス製の鏡でありながらガラス製の鏡と同程度の鮮明な像が得られる。勿論、鏡部がステンレス製の板と金属メッキ層からなるため、使用中に患者が誤って噛んで破損するなどの危険性はない。
【００１３】
請求項２，３の構成とすれば、柄の支持部に対して鏡部を着脱することができる上に、使用後は鏡部のみを捨てることができ、全部を廃棄するのに比べて、ゴミの減量化、省資源化を実現できる。
【００１４】
請求項４の構成とすれば、柄の支持部に対する鏡部の着脱が一層容易になり、使用中の鏡部の支持部からの脱落を効果的に防止できる。
【００１５】
請求項５の構成とすれば、使い勝手がより一層良くなる。
【考案を実施するための最良の形態】
【００１６】
以下、実施の形態により、この考案を更に詳細に説明する。
【００１７】
その一実施形態に係るデンタルミラーの斜視図を図１に示す。このデンタルミラー１は、円形の鏡部１０と、この鏡部１０を支持する円形の支持部２１を有する柄２０とからなる。鏡部１０は、図２の（ａ）の斜視図に示すように円板状であり、図２の（ｂ）の断面図に示すようにステンレス製の円形状の板１１の一面に鏡面を形成するための金属メッキ層１２を設けてなり、全体の厚さｄが０．５〜０．７ｍｍである。金属メッキ層１２は、前例の金属を例えば電極メッキにより層にすることで形成される。電極メッキは蒸着よりも効率が良い。なお、ここでは、柄２０と支持部２１は一体になっているが、支持部２１を含む柄２０は樹脂製又は金属製のいずれでもよい。
【００１８】
この鏡部１０は、柄２０の支持部２１に着脱自在に嵌め込まれる。鏡部１０が支持部２１に嵌め込まれた状態の断面図を図３の（ａ）に示す。この支持部２１への鏡部１０の取付けは、例えば図３の（ｂ）では、鏡部１０（ステンレス製の板１１）の側周面に形成された凹部１１ａに、支持部２１の側周壁２２の内周面に突設された凸部２２ａを嵌合させることにより行われる。又は、図４の例では、支持部２１の側周壁２２の頂部に内側に向けて突設された係合片２２ｂを押し退けるようにして鏡部１０を支持部２１に嵌め込んでもよい。この場合、係合片２２ｂを含む側周壁２２は、鏡部１０を着脱し易いように適度な弾性を有する。
【００１９】
このように構成したデンタルミラー１では、鏡部１０の厚さが０．５〜０．７ｍｍと非常に薄いため、限られた口腔内での作業範囲が広がる。また、ステンレス製の板１１の一面に鏡面用の金属メッキ層１２が設けられているため、ステンレス製の鏡でありながらガラス製の鏡と同程度の鮮明な像が得られる。更に、使用後は鏡部１０のみを捨てることができ、全部を廃棄するのに比べて、ゴミの減量化、省資源化を実現できる。勿論、鏡部１０はステンレス製の板１１と金属メッキ層１２からなるため、使用中に患者が誤って噛んでも破損する危険はない。
【００２０】
別実施形態に係るデンタルミラーの部分斜視図を図５に、裏側から見た平面図を図６に示す。このデンタルミラー２は、鏡部３０の基本構成（ステンレス製の板と金属メッキ層からなる点）は上記実施形態と同じであるが、裏側の構造が異なるとともに、鏡部３０を支持する支持部４１の構造が異なる。支持部４１は、図７に示すように、端部に雄ネジ４３を有するジョイント４２が付設されており、鏡部３０を取付けるための略菱形の穴４４を有する。
【００２１】
鏡部３０は、図８〔斜視図（ａ）、側面図（ｂ）〕に示すように、裏側（金属メッキ層とは反対側）に、支持部４１の穴４４よりも幾分小さい相似形（菱形）の突片３１が円形の結合部３２により連結されている。この鏡部３０を支持部４１に装着するときは、鏡部３０の突片３１を支持部４１の穴４４に挿入し、鏡部３０を支持部４１に対して相対的に９０°回転させる。すると、図６に示すように、突片３１が穴４４と直交する方向に位置し、鏡部３０が支持部４１に確実に取付けられ、使用中に鏡部３０が支持部４１から脱落するようなことはない。しかも、支持部４１に対する鏡部３０の着脱を容易に行うことができる。
【００２２】
支持部４１のジョイント４２には、例えば図９のような柄５０が取付けられる。柄５０は、その先端部５１の内側にジョイント４２の雄ネジ４３に対応する雌ネジを有する。この両ネジにより、支持部４１と柄５０は着脱することができるだけでなく、使い勝手がより一層良くなる。
【図面の簡単な説明】
【００２３】
【図１】一実施形態に係るデンタルミラーの斜視図である。
【図２】図１のデンタルミラーに用いられる鏡部の斜視図（ａ）、及びその鏡部の断面図（ｂ）である。
【図３】図１のデンタルミラーにおいて、鏡部を支持部に取付けた状態での断面図（ａ）、及びその状態での一取付形態を示す部分拡大断面図（ｂ）である。
【図４】図１のデンタルミラーにおいて、鏡部を支持部に取付けた状態での別取付形態を示す部分拡大断面図である。
【図５】別実施形態に係るデンタルミラーの部分斜視図である。
【図６】図５のデンタルミラーを裏側から見た平面図である。
【図７】図５のデンタルミラーの支持部の斜視図である。
【図８】図５のデンタルミラーに用いられる鏡部を裏側から見た斜視図（ａ）、及びその鏡部の側面図（ｂ）である。
【図９】図５のデンタルミラーに用いられる柄の一部省略平面図である。
【符号の説明】
【００２４】
１，２        デンタルミラー
１０，３０    鏡部
１１          ステンレス製の板
１２          金属メッキ層
２０，５０    柄
２１，４１    支持部
３１          突片
４２          ジョイント
４４          穴
【図１】
0003102266.tif 000003
【図２】
0003102266.tif 000004
【図３】
0003102266.tif 000005
【図４】
0003102266.tif 000006
【図５】
0003102266.tif 000007
【図６】
0003102266.tif 000008
【図７】
0003102266.tif 000009
【図８】
0003102266.tif 000010
【図９】
0003102266.tif 000011